(57)【要約】【課題】足底に対して矯正部材を適切な位置に配置可能で、しかも使用時における矯正器具のずれを低減する。【解決手段】足底のアーチと略同じ長さでかつ柔軟性を有する棒状の矯正部材２０と、粘着性を有する面を足底に貼着し、粘着性を有する面の反対面に矯正部材２０を配置するアンカーテープ１０と、アンカーテープ１０上に配置された矯正部材２０の上から、アンカーテープ１０よりも広い範囲で覆うように貼着する固定用テープ３０とを有する。【選択図】図３
0003151392.tif 000002
【実用新案登録請求の範囲】
【請求項１】
足底のアーチと略同じ長さでかつ柔軟性を有する棒状の矯正部材と、
粘着性を有する面を足底に貼着し、当該粘着性を有する面の反対面に前記矯正部材を配置するシート状固定部材と、
片面に粘着性を有し、前記シート状固定部材上に配置された前記矯正部材の上から、前記シート状固定部材よりも広い範囲で覆うように貼着するシート状被覆部材とを有することを特徴とする逆アーチ式歩行障害矯正器具。
【請求項２】
前記矯正部材は、長手方向端部を正面視した場合に、前記シート状固定部材に固定する面側から幅が小さくなるように突出する凸型形状であることを特徴とする請求項１記載の逆アーチ式歩行障害矯正器具。
【請求項３】
前記矯正部材は、短手方向の少なくとも一方の側部に、長手方向に対して直角方向のスリットが形成されていることを特徴とする請求項１又は２記載の逆アーチ式歩行障害矯正器具。
【請求項４】
前記矯正部材は、シリコーンゴムによって構成されていることを特徴とする請求項１乃至３のいずれか１項記載の逆アーチ式歩行障害矯正器具。
【考案の詳細な説明】
【技術分野】
【０００１】
本考案は、足アーチ形成不全あるいはアーチ機能不全による歩行障害を低減させるための歩行障害矯正器具に適用され、特に、足底に配置する逆アーチ式歩行障害矯正器具に関する。
【背景技術】
【０００２】
足底のアーチ、いわゆる土踏まずは、体重などの重力に対するスプリング効果を有している。このアーチの形成不全あるいはＯ脚のためにアーチ機能不全に陥った場合、アーチの重力衝撃の吸収効果は減弱し、膝関節、腰部関節などに種々の障害を引き起こすことが知られている。
【０００３】
従来、このような問題に対処するための物療的療法として、Ｏ脚であればインソールの外側に傾斜を作ってアーチ機能の復活を目指したり、扁平足であればインソールの内側にアーチ型の三次元構造を作るなどして、アーチ機能不全、アーチ形成不全を補完する構造物でこれらによる障害に対処しようとしてきた。
【０００４】
さらには、従来、足底に矯正部材を直接貼着するものも提案されている（特許文献１、２）。
【先行技術文献】
【特許文献】
【０００５】
【特許文献１】実用新案登録第３１３６５８６号公報
【特許文献２】実用新案登録第３０９２０２４号公報
【考案の概要】
【考案が解決しようとする課題】
【０００６】
しかしながら、インソールに矯正機能を持たせたものの場合、足底のサイズや形状は、個人によって異なることが多いため、足底に対して矯正部材が適切な位置に配置されるとは限らない。また、足底に矯正部材を直接貼着するものの場合、例えば、歩行時間が長くなるにつれて粘着力が低下してくると、歩行の際に矯正器具がずれてくるおそれがある。このため、必ずしも良好な成果をあげているとは言えない。
【０００７】
本考案は、このような問題点を解決し、足底に対して矯正部材を適切な位置に配置可能で、使用時における矯正部材のずれを低減することを実現した逆アーチ式歩行障害矯正器具を提供することを目的とする。
【課題を解決するための手段】
【０００８】
前記目的を達成するため、本考案の逆アーチ式歩行障害矯正器具は、次に記載する構成を備えている。
【０００９】
請求項１に係る考案は、足底のアーチと略同じ長さでかつ柔軟性を有する棒状の矯正部材と、粘着性を有する面を足底に貼着し、当該粘着性を有する面の反対面に前記矯正部材を配置するシート状固定部材と、片面に粘着性を有し、足底に前記シート状固定部材を介して粘着固定された前記矯正部材の上から、前記シート状固定部材よりも広い範囲で覆うように貼着するシート状被覆部材とを有することを特徴とする。
請求項１に係る考案によれば、矯正部材（矯正部材２０）の固定位置を使用者自らが決めることができるため、足底に対して矯正部材を適切な位置に配置することが可能となる。しかも、矯正部材（矯正部材２０）がシート状固定部材（アンカーテープ１０）とシート状被覆部材（固定用テープ３０）との間に挟持された状態となるため、足底においてシート状固定部材とシート状被覆部材の両方がずれない限り、矯正部材は定位置に保持されるようになり、歩行の際に矯正部材がずれていくことを低減することができる。
【００１０】
請求項２に係る考案は、請求項１に係る考案において、前記矯正部材は、長手方向端部を正面視した場合に、前記シート状固定部材に固定する面側から幅が小さくなるように突出する凸型形状であることを特徴とする。
請求項２に係る考案によれば、矯正部材が、シート状固定部材に固定する面側から幅が小さくなるように突出する凸型形状であるため、歩行の際に矯正部材に対して、矯正部材が回転するような方向に力が加わることが低減される。これにより、矯正部材の下面付近のシート状固定部材が剥離することが防止可能になる。
【００１１】
請求項３に係る考案は、請求項１又は２に係る考案において、前記矯正部材は、短手方向の少なくとも一方の側部に、長手方向に対して直角方向のスリットが形成されていることを特徴とする。
請求項３に係る考案によれば、矯正部材を長手方向に対して直角方向に湾曲させることが可能となり、アーチに沿って矯正部材を固定することが容易に可能となる。
【００１２】
請求項４に係る考案は、請求項１乃至３のいずれか１項に係る考案において、前記矯正部材は、シリコーンゴムによって構成されていることを特徴とする。
請求項４に係る考案によれば、シリコーンゴムの離型性により、矯正部材がシート状固定部材又はシート状被覆部材から剥離させることが可能になるため、矯正部材を繰り返し使用することが可能になる。
【考案の効果】
【００１３】
本考案によれば、足底に対して矯正部材を適切な位置に配置可能で、しかも使用時における矯正器具のずれを低減することが可能になる。
【図面の簡単な説明】
【００１４】
【図１】本考案の実施形態における逆アーチ式歩行障害矯正器具の構成部品を示す説明図である。
【図２】本考案の矯正部材２０の外観を示す図である。
【図３】本考案の逆アーチ式歩行障害矯正器具１の使用法を示す説明図である。
【図４】本考案の他の実施形態に係る矯正部材２０の構成を示す説明図である。
【考案を実施するための形態】
【００１５】
以下、本考案の一実施形態について、図面を参照しながら詳細に説明する。
図１は、本実施形態における逆アーチ式歩行障害矯正器具の構成部品を示す説明図である。逆アーチ式歩行障害矯正器具１は、アンカーテープ１０と、矯正部材２０と、固定用テープ３０とによって構成されている。
【００１６】
アンカーテープ１０は、片面にのみ粘着性を有するテープであり、この粘着面によりアンカーテープ１０が足底の所定位置に貼着される。アンカーテープ１０の粘着面の反対面上には矯正部材２０が配置される。
矯正部材２０は、柔軟性を有する部材からなる棒状の部材である。矯正部材２０におけるアンカーテープ１０との対向面には、両面に粘着性を有するテープが貼着されている。
固定用テープ３０は、片面のみに粘着性を有しかつアンカーテープ１０よりも面積が大きいテープであり、足底に貼着したアンカーテープ１０及びアンカーテープ１０上に配置した矯正部材２０をカバーするように、足底に貼着するものである。なお、アンカーテープ１０及び固定用テープ３０は、伸縮性を有するテープであることが望ましい。また、アンカーテープ１０の粘着面の反対面は、固定用テープ３０との接着性がよくなるように粗面であることが望ましい。
【００１７】
図２は矯正部材２０の外観を示す図である。図２に示すように、矯正部材２０は、正面視及び側面視した形状が等脚台形である。本実施形態においては、矯正部材２０の下面及び上面は矩形であり、下面のサイズは、長手方向が８０ｍｍ、短手方向が２０ｍｍ、上面のサイズは、長手方向が６０ｍｍ、短手方向が１０ｍｍ、さらに、矯正部材２０の高さは１０ｍｍに設定されている。なお、前述したサイズは一例であって、長手方向のサイズは、アーチと同じ程度の長さに設定するとよい。また、高さについては、高すぎると歩行しにくくなり、低すぎると矯正効果が得にくいことから、１０ｍｍ程度に設定するとよい。下面には、両面テープが貼着されており、この両面テープを介して矯正部材２０がアンカーテープ１０上に固定される。
【００１８】
矯正部材２０の材質としては、例えば、柔軟性を有するポリウレタン、成形ゴムやシリコーンゴムなどの部材が適用可能である。特に、ポリウレタンの場合には、粘着テープとの接合性がよいため、アンカーテープ１０から矯正部材２０が外れにくくなり、矯正部材２０がよりずれにくくなる。また、加工性もよいため、使用者がはさみを用いて切断して長さを調整したり、紙ヤスリを用いて表面を削ることによって高さを調整したりするなど、使用者自身に適した形状に加工することが容易に可能となる。また、シリコーンゴムの場合には、離型性を有しかつ耐久性、耐摩耗性にも優れているため、加重により矯正部材２０が圧縮されて高さが低くなり、矯正効果が得にくくなるまで、アンカーテープ１０や固定用テープ３０から矯正部材２０のみを取り外して何度も繰り返し使用することが可能になる。
【００１９】
図３は逆アーチ式歩行障害矯正器具１の使用法を示す説明図である。まず、足裏における固定用テープ３０を貼る範囲を酒精綿でよく拭き、十分に乾いた後、図３（ａ）に示すように、アーチ（土踏まず）の外側において、第４指から踵中心に向かう線上を中心に外側縦走アーチを含めて、アンカーテープ１０を貼着する。次に、矯正部材２０に貼着されている両面粘着テープの保護テープを剥がして粘着面を露出させ、図３（ｂ）に示すように、矯正部材２０をアンカーテープ１０からはみ出さないように貼着する。そして、図３（ｃ）に示すように、固定用テープ３０を、アンカーテープ１０及び矯正部材２０全体を覆うように貼着することにより、逆アーチ式歩行障害矯正器具１の取り付けが完了する。
【００２０】
このように、本実施形態によれば、図３に示すように、アーチの外側にアーチと同じ程度の長さで１ｃｍ程度の高さを有する矯正部材２０を足底から地面方向に凸型に貼着し、固定することにより、縦走アーチの内側縦走アーチと外側縦走アーチにおいてアーチとしての対地面高低差が拡大する。これにより、歩行時等の重力衝撃の吸収力を高めることができる。すなわち、重力衝撃による荷重が効率的に圧縮応力に変換吸収され、その結果、膝、腰の負担軽減、障害予防および障害からくる痛みの軽減につなげることができる。
【００２１】
また本実施形態によれば、逆アーチ式歩行障害矯正器具１を足底に固定して使用するものであるため、特に、インソールをあまり使用しない室内における使用が有効である。例えば、膝の痛みのために室内に居る時間が多い人が、本実施形態の逆アーチ式歩行障害矯正器具１を足底に固定することにより、まず家庭内での移動を容易なものとなる。さらに、逆アーチ式歩行障害矯正器具１を足底に固定した状態で、近所用の靴、スリッパ、草履の使用でき、さらに遠出用の靴といった履物を使用ことも可能となる。これにより、履物に、歩行障害矯正機能を有するインソールを挿入するといった手間が無くなり、履物を履く履かないにかかわらず、アーチとしての高低差を維持することが可能になる。
【００２２】
また、履物に、歩行障害矯正機能を有するインソールを挿入する場合には、インソールを足や靴の大きさに合わせて加工することが必要であり、手間がかかる。それに対して、本実施形態によれば、おおむね本人の外側縦走アーチの長さにあわせて、矯正部材２０をはさみで切るなどして長さ、高さともに少ない手間で調節が可能である。
【００２３】
また、矯正部材２０がアンカーテープ１０と固定用テープ３０との間に挟持された状態となり、しかも固定用テープ３０が広範囲に貼着されるため、足底においてアンカーテープ１０と固定用テープ３０の両方がずれない限り、矯正部材２０は定位置に保持されるようになる。また、矯正部材２０を側面視した形状が等脚台形であり、下面側から上面側に向かって幅が小さくなるように突出する凸型形状であるため、歩行の際に矯正部材２０に対して、矯正部材２０が剥離するような方向、例えば矯正部材２０を回転させる方向に力が加わることが低減される。これにより、矯正部材２０の下面付近のテープが剥離することが防止可能になる。
【００２４】
以上、本考案の実施形態について説明したが、本考案は上述したものに限るものではない。例えば、図４に示すように、矯正部材２０の短手方向両側部に、短手方向に平行なスリット２０ａを複数形成してもよい。これにより、矯正部材２０を湾曲させた状態で足底に固定することが可能になる。
また、矯正部材２０にスケールを印刷し、矯正部材２０を切断する際の目安としてもよい。また、上述した実施形態においては、矯正部材２０を側面視した形状が等脚台形であるが、それに限らず、例えば、かまぼこ型であってもよく、足底から地面方向にアーチ状に突出するのであれば、形状は問わない。さらに、矯正部材２０の短手方向両側部の傾斜が、アーチの深さに応じて異なるようにしてももい。また、本考案の実施形態においては、アンカーテープ１０は片面にのみ粘着性を有しているが、両面に粘着性を有するものであってもよい。
【符号の説明】
【００２５】
１  逆アーチ式歩行障害矯正器具
１０  アンカーテープ
２０  矯正部材
２０ａ  スリット
３０  固定用テープ
【図１】
0003151392.tif 000003
【図２】
0003151392.tif 000004
【図３】
0003151392.tif 000005
【図４】
0003151392.tif 000006